(57)【要約】【課題】改ざん防止の機能を外観の体裁を損なわずに付与した包装箱を実現して提供することを課題としている。【解決手段】４面の側壁２〜５と、上蓋６及び底蓋７と、対向一対の内フラップ８，８と、上蓋に破断線９を介して連なる差込片１０と、その差込片に折り目線１６を介して連なる裏添え片１１を備え、前記裏添え片１１が、折り目線１６の位置で折り返されて差込片１０の裏面に重ねられ、その裏添え片１１は、差込片１０の裏面の破断線９に沿った位置の幅方向中央部と両側部にそれぞれ係止溝２１を作り出し、箱の組み立て状態において前記差込片１０の裏側において前記係止溝２１に対して内フラップ８の縁に形成された突起２２が係止して上蓋６の再封可能な開封が阻止されるようにした。【選択図】図２
2018002182.tif 000002
【特許請求の範囲】
【請求項１】
角筒を構成する４面の側壁（２〜５）と、前記角筒の上部開口を塞ぐ上蓋（６）及び下部開口を塞ぐ底蓋（７）と、前記上蓋（６）の内側に折り込まれる対向一対の内フラップ（８，８）と、前記上蓋（６）の一辺に破断線（９）を介して連なる差込片（１０）と、その差込片（１０）の先端に折り目線（１６）を介して連なる裏添え片（１１）を備え、  前記内フラップ（８，８）は、互いに向き合う２側壁（４，５）の端部に折り目線（１４）を介してそれぞれ連設され、前記上蓋（６）は、前記内フラップ（８，８）が連なった側壁（４，５）と隣り合う位置の側壁（２）の上端に折り目線（１５）を介して連設され、
前記裏添え片（１１）は、前記差込片との間の折り目線（１６）の位置で折り返されて前記差込片（１０）の裏面に重ねられ、
その裏添え片（１１）は、前記差込片（１０）の裏面の前記破断線（９）に沿った位置の幅方向中央部と両側部にそれぞれ係止溝（２１）を作り出し、
前記一対の内フラップ（８，８）は、箱の組み立て状態において前記上蓋（６）の先端側に置かれる縁に前記係止溝（２１）の各々に対応させた突起（２２）を有し、
前記差込片（１０）が、前記上蓋（６）が連なった側壁（２）と対向する位置の側壁（３）と前記内フラップ（８）の側縁との間に差し込まれた状態で前記突起（２２）が前記差込片（１０）の裏側に作り出された前記係止溝（２１）に係止するようにした改ざん防止包装箱。
【請求項２】
前記裏添え片（１１）の先端に破断線（１７）を介して係留片（１２）が連設され、その係留片（１２）が前記上蓋（６）の裏面に貼付けられて前記裏添え片（１１）がその係留片（１２）によって定位置に保持された請求項１に記載の改ざん防止包装箱。
【請求項３】
前記裏添え片（１１）を、前記差込片（１０）の裏面に貼付けてその差込片（１０）で保持した請求項１に記載の改ざん防止包装箱。
【発明の詳細な説明】
【技術分野】
【０００１】
この発明は、売り場の陳列棚などに置かれた包装箱入り商品が、いたずらなどによって包装箱が開封された際に、それが一見して判るようにした改ざん防止包装箱に関する。
【背景技術】
【０００２】
いたずらによる開封や異物混入などの防止を目的として開発されている改ざん防止包装箱の従来例として、例えば、下記特許文献１、２などに記載されたものがある。
【０００３】
特許文献１に記載された改ざん防止包装箱は、４面の側壁を有する箱であって、上部開口を塞ぐ蓋と、その蓋の内側に折り込まれる対向配置の一対のフラップと、そのフラップの内側に配置する折込み片と、蓋の一辺に破断線を介して連なる差込片を備えている。
【０００４】
前記フラップは、対向２側壁の端部にそれぞれ連設され、前記蓋は、フラップの連設された側壁と隣り合う位置の側壁の端部に連設されている。
【０００５】
また、前記折込み片は、前記蓋の連なった側壁と向かい合った側壁の端部に折罫線を介して連設されており、前記折罫線に沿った透孔を有している。
【０００６】
さらに、前記差込片には、前記破断線に囲われたロック片が設けられている。
【０００７】
この特許文献１の改ざん防止包装箱は、蓋を閉じた状態で前記フラップの縁に形成された突起が前記破断線の両端に形成された切り込みに差し込まれ、さらに、前記折込み片に設けた前記透孔に前記ロック片が挿入される。
【０００８】
このために、前記破断線の位置で蓋の付け根を切り外さなければ蓋をあけることができず、これによりいたずらによる開封、改ざんが防止される。
【０００９】
一方、特許文献２に記載された包装箱は、これも４面の側壁を有する箱であって、上部開口を塞ぐ蓋（天面）と、その蓋の内側に折り込まれる対向配置の一対の内フラップと、取付片を介して前記蓋の一辺に連なる差込フラップを備えている。
【００１０】
前記内フラップは、対向２側壁の端部にそれぞれ連設され、前記蓋は、内フラップを連ねた側壁と隣り合う位置の側壁の端部に連設されている。
【００１１】
この特許文献２の包装箱は、蓋を閉じて前記差込フラップを一側壁の内面に沿って上部開口に差し込む。すると、その差込フラップの前記取付片の両側に張り出した部分が前記内フラップに設けられた係止部に引っ掛かって差し込み部から抜け止めされる。
【００１２】
このために、前記取付片をその取付片に設けた破断線に沿って蓋から切り離さなければ蓋をあけることができず、これにより、いたずらによる開封、改ざんが防止される。
【先行技術文献】
【特許文献】
【００１３】
【特許文献１】特許第４２９１６００号公報
【特許文献２】特許第５４０３５９１号公報
【発明の概要】
【発明が解決しようとする課題】
【００１４】
特許文献１の改ざん防止包装箱は、前記折込み片に設けた透孔やその透孔に挿入された前記ロック片が外部に現れる。このために、外観が損なわれ、体裁が重視される化粧品などの商品の包装箱としては改善の余地を残している。
【００１５】
特許文献２の包装箱も、蓋の一部分によって前記取付片が構成されているため、その取付片を折り曲げたときに蓋の一部が切り欠かれた状態になり、その部分が外部に現れる。従って、この箱も外観が良くなく、化粧品などの商品の包装箱としてはユーザの要望を満たし得ない。
【００１６】
そこで、この発明は、改ざん防止の機能を外観の体裁を損なわずに付与した包装箱を実現して提供することを課題としている。
【課題を解決するための手段】
【００１７】
上記の課題を解決するため、この発明においては、改ざん防止包装箱を以下の通りに構成した。
即ち、角筒を構成する４面の側壁と、前記角筒の上部開口を塞ぐ上蓋及び下部開口を塞ぐ底蓋と、前記上蓋の内側に折り込まれる対向一対の内フラップと、前記上蓋の一辺に破断線を介して連なる差込片と、その差込片の先端に折り目線を介して連設される裏添え片を備え、
前記内フラップは、互いに向き合う２側壁の端部に折り目線を介してそれぞれ連設され、前記上蓋は、前記内フラップが連なった側壁と隣り合う位置の側壁の上端に折り目線を介して連設され、
前記裏添え片は、前記差込片との間の折り目線の位置で折り返されて前記差込片の裏面に重ねられ、
その裏添え片は、前記差込片の裏面の前記破断線に沿った位置の幅方向中央部と両側部にそれぞれ係止溝を作り出す切り抜き部や切欠き部を有し、
前記一対の内フラップは、箱の組み立て状態において前記上蓋の先端側に置かれる縁に前記係止溝の各々に対応させた突起を有し、
前記差込片が、前記上蓋が連なった側壁と対向する位置の側壁と前記内フラップの側縁との間に差し込まれた状態で前記突起が前記差込片の裏側に作り出された前記係止溝に係止する箱にした。
【００１８】
なお、前記底蓋は、各側壁の下端に連ならせたフラップを接着するなどして構成し、破かなければ開封できない蓋にする。
【００１９】
この改ざん防止包装箱は、前記裏添え片の先端に破断線を介して係留片を連設し、その係留片を上蓋の裏面に貼付けて前記裏添え片をその係留片によって定位置に保持する構造にすると好ましい。
【００２０】
ただし、前記裏添え片は、それ自体を前記差込片の裏面に貼付けて差込片で保持することもでき、その場合には前記係留片は必ずしも必要でない。
【発明の効果】
【００２１】
この発明の改ざん防止包装箱は、前記差込片の裏側に裏添え片を重ねてその裏添え片に設けた切欠き部で前記差込片の裏側に前記係止溝を作り出し、前記差込片が一側壁と前記フラップの側縁との間に差し込まれたときに前記内フラップの側縁に形成された突起が前記係止溝に入り込んで係止する構造にしたので、前記突起の前記係止溝に対する係止状態を外部から解くことができない。
【００２２】
このため、上蓋をあけるには、前記破断線に沿って前記上蓋を側壁から切り離す必要があり、これにより、いたずらによる開封、改ざんが防止される。
【００２３】
この発明の改ざん防止包装箱は、前記突起の前記係止溝に対する係止が上蓋の裏面側でなされるので、外観を悪化させる係止部の外部への露出がなく、体裁が重視される商品の包装にも問題なく使用できる見栄えのよい箱になる。
【図面の簡単な説明】
【００２４】
【図１】この発明の改ざん防止包装箱の一例を示す斜視図である。
【図２】図１の箱の展開図である。
【図３】裏添え片を差込片の裏面に重ね、裏添え片に連設した係留片を上蓋の裏面に張り合わせた状態を示す図である。
【図４】箱の一部分を組み立て途中の状態にして示す斜視図である。
【図５】図４の状態から内フラップを折り曲げ、さらに、差込片を裏添え片と一緒に折り曲げた状態を示す斜視図である。
【図６】図５の状態まで組み立てられた箱の上側部分を斜め下方から見た斜視図である。
【図７】図１のVII−VII線に沿った位置の拡大断面図である。
【図８】（ａ）は上蓋の開封が係止溝に対する突起の係止によって阻止される状態を示した断面図、（ｂ）は破断線に沿って上蓋が側壁から切り離された状態を示す断面図である。
【図９】上蓋の開封状態を示す斜視図である。
【発明を実施するための形態】
【００２５】
以下、添付図面の図１〜図９に基づいて、この発明の改ざん防止包装箱の実施の形態を説明する。
【００２６】
例示の改ざん防止包装箱１は、図１及び図２に示すように、角筒を構成する４面の側壁２〜５と、前記角筒の一端開口を塞ぐ上蓋６及び他端開口を塞ぐ底蓋７と、対向一対の内フラップ８，８と、上蓋６の一辺に破断線９を介して連なる差込片１０と、その差込片１０に直接連なる裏添え片１１と間接的に連なる係留片１２を備えている。１３は、側壁３，４をつなぎ合わせるための糊代である。
【００２７】
前記内フラップ８，８は、互いに向き合う２つの側壁４，５の端部に折り目線１４を介してそれぞれ連設され、前記上蓋６は、側壁４，５と隣り合う位置にある側壁２の上端に折り目線１５を介して連設されている。
【００２８】
また、前記裏添え片１１は、前記差込片１０の先端に折り目線１６を介して連設され、前記係留片１２は、前記差込片１０の先端に破断線１７を介して連設されている。
【００２９】
なお、例示の改ざん防止包装箱の底蓋７は、側壁２，３の下端に折り目線１８を介してそれぞれ連設された大サイズフラップ７ａ、７ａと、側壁４，５の下端に折り目線１９を介して連設された小サイズフラップ７ｂ、７ｂを組み合わせたものになっている。
【００３０】
大サイズフラップ７ａ、７ａは、箱の組み立て状態において一部分が互いに係合して突き合わされる周知の形状のフラップであって、それぞれが糊代２０を有している。
【００３１】
その糊代２０が小サイズフラップ７ｂの裏面に糊付けされて底蓋７が組み立てられ、これにより、底蓋７は破かなければ開封できないものになっている。
【００３２】
この底蓋７は、破かなければ開封できないものであればよく、例示の形態に限定されない。
【００３３】
前記裏添え片１１は、差込片１０の裏面の破断線９に沿った位置の幅方向中央部と両側部にそれぞれ係止溝２１を作り出す切り抜き部や切欠き部を有している。
【００３４】
さらに、前記一対の内フラップ８，８は、箱の組み立て状態において上蓋６の先端側に置かれる縁に前記係止溝２１の各々に対応させた突起２２を有している。
【００３５】
かかる改ざん防止包装箱１は、裏添え片１１を予め折り目線１６の位置で折り返して差込片１０の裏面に重ね、破断線１７に沿って折り曲げた係留片１２を、上蓋の裏面に糊や両面テープなどを使用して貼付ける。
【００３６】
そして、組み立てられた箱の上部開口を以下の手順に従って閉じる。その封緘は、包装すべき商品を筒に収納した後、図４の状態から図５に示すように、まず、内フラップ８を内側に折り曲げる。
【００３７】
次に、折り目線１５の位置で上蓋６を図６の矢印方向に折り曲げ、差込片１０とその差込片１０の裏面に重ねた裏添え片１１を、図７に示すように、側壁３と内フラップ８の側縁との間に差し込む。
【００３８】
こうして上蓋６による筒の上部開口の封鎖が完全になされると、内フラップ８に設けた突起２２が、差込片１０の裏側に作り出された係止溝２１に入り込んで係止する。
【００３９】
このため、差込片１０は差込み位置からの抜け出しが突起２２によって阻止される｛図８（ａ）参照｝。これにより、上蓋６の開封は、図８（ｂ）に示すように、破断線９，１７の位置で差込片１０と裏添え片１１を切り離して行わざるを得ず、いたずらによる開封、改ざんができない箱になる。
【００４０】
なお、裏添え片１１を差込片１０の裏面に貼付けずに係留片１２で引き止める図示の構造によれば、裏添え片１１の差込片１０の裏面からの自然な浮き上がりを利用して突起２２の係止状態を安定させることができるが、係止溝２１を作り出す裏添え片１１は、それ自体を差込片１０の裏面に貼付けて差込片１０で保持してもよく、その構造によれば、係留片１２は無くてもよい。
【００４１】
以上述べた通り、この発明では、係止溝に対する突起の係止が上蓋の裏側でなされていたずらによる上蓋の開封が防止されるようにした。従って、この発明によれば、外観の悪化がなくて見栄えの良い収納箱を提供することが可能になる。
【符号の説明】
【００４２】
１          改ざん防止包装箱
２〜５      側壁
６          上蓋
７          底蓋
７ａ        大サイズフラップ
７ｂ        小サイズフラップ
８          内フラップ
９，１７    破断線
１０        差込片
１１        裏添え片
１２        係留片
１３，２０  糊代
１４〜１６，１８，１９  折り目線
２１        係止溝
２２        突起
【図１】
2018002182.tif 000003
【図２】
2018002182.tif 000004
【図３】
2018002182.tif 000005
【図４】
2018002182.tif 000006
【図５】
2018002182.tif 000007
【図６】
2018002182.tif 000008
【図７】
2018002182.tif 000009
【図８】
2018002182.tif 000010
【図９】
2018002182.tif 000011